(57)【要約】      （修正有）【課題】汚物を円滑に押し流し、床上で管路途中の管継ぎ手を使用せず、自由に曲げ配管が可能で、防音耐火の性能をもつ床上排水管を提供する。【解決手段】  管壁の両横腹部４，５を蛇腹形成にし、且つ、管底辺部２及び管上辺部３を管軸方向の波形として床上排水管１が建物の床面上で柔軟に曲げられるようにすると共に管内の底辺部２の排水を円滑に行いうるようにした。又、この床上排水管１の端面の内部に撞木形の内周補強用カラー１２を差込み、この補強用カラー１２の外周と床上排水管１の内周面との隙間を充填しうる形状の中間狭込用カラー１３を介在させ、一方床上排水管１の蛇腹形状の横腹部４，５の凹凸外周面及び管底辺部２と管上辺部３の管軸方向の波形の外周面の管全周にわたり密接する内周面をもつゴム輪１４を床上排水管１の外周に装着して管継手８の差口９に差込み、ゴム輪押えリング１０により押圧してゴム輪１４の水密を保持しうるようにした。【選択図】  図２
2007107365.tif 000002
【特許請求の範囲】
【請求項１】
管壁の両横腹部を蛇腹形成にし、且つ、管底辺部及び管上辺部を管軸方向の波形として管体が建物の床面上で柔軟に曲げられるようにすると共に管内の底辺部の排水を円滑に行いうるようにした床上排水管の構造。
【請求項２】
請求項１の床上排水管において、より以上に柔軟な材料を使用することによって管底辺部及び管上辺部の形状を板状にした小口径の床上排水管の構造。
【請求項３】
請求項１の床上排水管の端面の内部に撞木形の内周補強用カラーを差込み、この補強用カラーの外周と床上排水管の内周面との隙間を充填しうる形状の中間狭込用カラーを介在させ、一方床上排水管の蛇腹形状の横腹部の凹凸外周面及び管底辺部と管上辺部の管軸方向の波形の外周面の管全周にわたり密接する内周面をもつゴム輪を床上排水管の外周に装着して管継手の差口に差込み、ゴム輪押えリングにより押圧してゴム輪の水密を保持しうるようした床上排水管用の管継手の構造。
【請求項４】
請求項１の床上排水管を多数の二ツ割りの管保護函を連ねて出来た収納用溝に収納しうるようにし、この管保護函の形状を上側傾斜端面と下側傾斜端面を持つ梯形とすることによって、この２種類の端面を接続して、順次建物床上に並べていくとき、上側傾斜端面又は下側傾斜端面の組合せを変更することにより管保護函の連結延長方向を直線方向にも、又円周方向にも選択することが可能となり、従ってこれに収納する床上排水管も同じ方向に配管できるようにした防音、耐火型の二ツ割保護函の構造。
【発明の詳細な説明】
【技術分野】
【０００１】  本発明は業務用建物及び一般住宅等の床上排水に広く利用できる。
【背景技術】
【０００２】  通常床上排水管は便器、風呂等の排水を汚水枡又は縦排水管に連結して流すために直管を所定寸法に切断し、ベント及びチーズ継手で接続して屈折した配管を行っている。【０００３】  従って屈折した配管経路をとるため流水の抵抗を大きく、且つ、配管の手間も大きい。鋳鉄製の排水管を使用するときは特に作業工数が多く必要とする。又、プラスチック製の排水管のときは排水時の騒音を防ぐことが出来ない。
【発明の開示】
【発明が解決しようとする課題】
【０００４】  床上排水管の備えるべき要件の第１は汚物を円滑に押し流すことが出来る菅の断面形状である。【０００５】  要件の第２は床上で屈曲して配管することが必要な場合でも出来るだけ継手の使用個数を少なくして配管工事を容易に出来るようにすること。【０００６】  要件の第３は排水時の騒音が管外に出ることを防ぐことが必要である。
【課題を解決するための手段】
【０００７】  図１、図２、図３及び図４に示すとおり、床上排水管１の管壁の両横腹部４及び５を蛇腹形成にし、且つ、管底辺部２及び管上辺部３を管軸方向の波形として管体が建物の床面上で柔軟に曲げられるようにすると共に管内の波形底辺部２の排水を円滑に行いうる構造にしている。【０００８】  この床上排水管において、より以上に柔軟な材料を使用するときは図５に示すように管底辺の形状を板状底辺部６のようにしてもよい。この場合は小口径の床上排水管用に適している。【０００９】  図１、図２、図３及び図４に示すとおり、本発明の床上排水管１の端面の内部に撞木形の内周補強用カラー１２を差込み、この補強用カラー１２の外周と床上排水管１の内周面との隙間を充填しうる形状の中間狭込用カラー１３を介在させ、一方床上排水管１の蛇腹形状の横腹部４及び５の凹凸の外周面、及び波形底辺部２及び波形上辺部３の外周面の管全周にわたり密接する内周面をもつゴム輪１４を床上排水管１の外周に装着して管継手８の差口９に差込み、ゴム輪押えリング１０をボルト及びナット等１１で押圧してゴム輪１４の水密を保持しうるようにした床上排水管１用の管継手８の構造とする。【００１０】  図６、図７、図８及び図９に示すとおり、床上排水管１を多数の二ツ割の管保護函１５−１，１５−２，１５−３及び１５−４等を連ねて出来た収納用溝１６に収納しうるようにし、この管保護函の形状を図６の図面の上側の端面１５−Ａと下側の端面１５−Ｂを両方共傾斜させた梯形とし、この２種類の端面を接続して、順次建物床上に並べていくとき、上側傾斜端面１５−Ａ又は下側傾斜端面１５−Ｂの組合せを変更することにより管保護函の連結延長方向を直線方向にも、又円周方向にも選択することが可能となり、従ってこれに収納する床上排水管１も同じ方向に配管できるようにした防音、耐火型の二ツ割保護函を製作する。
【発明の実施をするための最良の形態】
【００１１】  図１、図２、図３及び図４に示すとおり、床上排水管１の管壁の両横腹部４及び５を蛇腹形状にし、且つ、管底辺部２及び管上辺部３を管軸方向の波形とする。そして図１のＢ−Ｂ断面では図３に示すように低い蛇腹形状としている。
このような管体の形状にすることにより建物の床上において、水平に屈曲するとき両横腹部４及び５の片側が伸び、他の片側は縮む。又、波形底辺部２及び波形上辺部３の管軸方向の波形も水平に容易に弯曲できるため、この管体は床上で柔軟に曲げて配管することが出来る。そして波形底辺部２の排水も円滑に流れることが出来る。
【００１２】  排水上の点から考えると管上辺部では必ずしも波形上辺部３の形状にする必要はない。従って横腹部と同様に蛇腹形状としてもよいが、プラスチック押出成型で管体を製造するとき成型上の歪みを生じる恐れがある。薄肉の金属板により管体を製造するときは、管体の製造上の問題点はない。
【００１３】  本発明の床上排水管１を便器、縦排水管に接続する場合はその取付部を図１、図２、図３及び図４に示すような管継手８の構造に製作して、その継手差口９に接続するようにする。
【００１４】  このとき床上排水管１の端面の内部に薄肉の金属又は硬質のプラスチックで製造した撞木形の内周補強用カラー１２を差込み、この補強用カラー１２の外周と床上排水管１の内周面との隙間を充填しうる形状の硬質ゴムで出来た中間狭込用カラー１３を介在させ、一方床上排水管１の蛇腹形状の横腹部４及び５の凹凸外周面及び管底辺部と管上辺部の管軸方向の波形の外周面の管全周にわたり密接する内周面をもつゴム輪１４を床上排水管１の外周に装着して、管継手８の差口９に差込み、ゴム輪押えリング１０をボルト及びナット１１等で押圧してゴム輪１４の水密を保持しうるようにする。
【００１５】  次にこの特殊蛇腹形の床上排水管１は薄肉であるので遮音性がよくないため、これを遮音性能の高く、且つ、耐火性も優れたコンクリート又はレジンコンクリート等で製造した二つ割の管保護函等１５−１に収納することが望ましい。
【００１６】  図６、図７、図８及び図９に示すとおり、床上排水管１を多数の二ツ割の管保護函１５−１，１５−２，１５−３及び１５−４等を連ねて収納する構造とし、この管保護函の形状を図６の図面の上側の端面１５−Ａと下側の端面１５−Ｂを両方共傾斜させた梯形とし、この管保護函を図８のように１５−１の上に１５−２，１５−３，１５−４と上下転倒せずに下方より上方に連結していくときは円弧を画くように収納用溝１６が形成できて、この溝に床上排水管１を収納すると曲線配管が可能となる。又管保護函を図９のように１５−１の上に１５−２を上下転倒して連ね、次はその１５−２の上に転倒なしで１５−３、次にその１５−３の上に転倒して１５−４を連続していくときは直線に収納用溝１６が形成できて、この溝に床上排水管１を直線に収納できる。その上に函の蓋１７をかぶせて、床上排水管１を保護することが出来る。
【産業上の利用可能性】
【００１７】  本発明は産業用建物及び一般住宅等の排水工事を容易に行いうるようにして建物の建築コストを低減するのみならず、遮音性能、耐火性能を向上させるものである。
【図面の簡単な説明】
【００１８】
【図１】本発明の実施形態の第１実施例としての床上排水管及び管継手の平面図
【図２】図１のＡ−Ａ断面図
【図３】図１のＢ−Ｂ断面図
【図４】図１のＣ−Ｃ断面図
【図５】本発明の第２実施例としての床上排水管の平面図
【図６】本発明の第３実施例としての管保護函の中に床上俳水管を収納した場合の平面図
【図７】図６のＤ−Ｄ断面図
【図８】管保護函を円弧状に並べた場合の平面図
【図９】管保護函を直線状に並べた場合の平面図
【符号の説明】
【００１９】      １・・・・床上排水管                    ２・・・・波形底辺部
３・・・・波形上辺部                    ４・・・・右横腹部
５・・・・左横腹部                      ６・・・・板状底辺部
７・・・・板状上辺部                    ８・・・・管継手
９・・・・継手差口                    １０・・・・ゴム輪押えリング
１１・・・・ボルト及びナット            １２・・・・内周補強カラー
１３・・・・中間狭込カラー              １４・・・・ゴム輪
１５−１・・・・管保護函                １５−２・・・・管保護函
１５−３・・・・管保護函                １５−４・・・・管保護函
１５−Ａ・・・・管保護函の上側傾斜端面  １５−Ｂ・・・・管保護函の下側傾斜端面
１６・・・・管保護函の収納用溝          １７・・・・管保護函の蓋
【図１】
2007107365.tif 000003
【図２】
2007107365.tif 000004
【図３】
2007107365.tif 000005
【図４】
2007107365.tif 000006
【図５】
2007107365.tif 000007
【図６】
2007107365.tif 000008
【図７】
2007107365.tif 000009
【図８】
2007107365.tif 000010
【図９】
2007107365.tif 000011